(57)【特許請求の範囲】
【請求項１】
人の頭部に沿って湾曲してノズルアームをのばし、そののばす方向と直交する方向に移動して該ノズルアームを頭部形状に沿って動かし、そのノズルアームに設けるノズルから液体を噴射して自動的に頭部を洗浄する自動頭部洗浄装置において、
前記ノズルアームにくし歯を形成してそのくし歯に頭皮洗浄用ノズルを設け、該くし歯以外の部分に頭髪洗浄用ノズルを設け、
前記ノズルアームを長さ方向にも往復動自在としてなる、自動頭部洗浄装置。
【請求項２】
前記ノズルアーム内に、前記頭皮洗浄用ノズルに通ずる頭皮洗浄用給液路と前記頭髪洗浄用ノズルに通ずる頭髪洗浄用給液路とを区分して設けてなる、請求項１に記載の自動頭部洗浄装置。
【請求項３】
前記頭皮洗浄用ノズルおよび前記頭髪洗浄用ノズル各々からの噴射液を切り替える噴射液切替部を備えてなる、請求項１、または２に記載の自動頭部洗浄装置。
【請求項４】
前記ノズルアームにラックを設け、前記ノズルアームを往復動自在に支持する部材に、前記ラックと噛み合うピニオンを設け、そのピニオンの回転により前記ノズルアームを長さ方向に往復動してなる、請求項１、２、または３に記載の自動頭部洗浄装置。
【請求項５】
前記くし歯を可撓性材料でつくってなる、請求項１、２、３、または４に記載の自動頭部洗浄装置。
【請求項６】
前記くし歯を、突出方向に付勢して出入自在に形成してなる、請求項１、２、３、４、または５に記載の自動頭部洗浄装置。
【請求項７】
前記頭皮洗浄用ノズルから間欠流を噴射するとき、前記くし歯を振動させてなる、請求項１、２、３、４、または５に記載の自動頭部洗浄装置。
【発明の詳細な説明】
【０００１】
【発明の属する技術分野】
この発明は、たとえば理容室や美容室などに設置し、人の頭を入れてスイッチを操作したとき、液体を噴射して自動的に頭部を洗浄する自動頭部洗浄装置に関する。
【０００２】
【従来の技術】
従来、この種の自動頭部洗浄装置としては、たとえば実開平５−７０４０４号公報や特開平６−２２８１３号公報に記載されるように、人の頭部に沿って湾曲してノズルアームをのばし、スイッチ操作とともにそののばす方向と直交する方向に移動して該ノズルアームを頭部形状に沿って往復回動しながら、そのノズルアームに設けるノズルから液体を噴射して噴射液で自動的に頭部を洗浄するものがあった。
【０００３】
【発明が解決しようとする課題】
ところが、このような自動頭部洗浄装置では、髪の毛が邪魔してノズルからの噴射液を頭皮へと完全に当てることができず、頭髪を洗うことはできても、頭皮までしっかりと洗浄することができない問題があった。
【０００４】
そこで、この発明の第１の課題は、上述したような自動頭部洗浄装置において、ノズルからの噴射液を頭皮へと完全に当てて頭皮までもしっかりと洗浄できるようにすることにある。
【０００５】
第２の課題は、ノズルアームのノズルからはそれぞれ洗浄目的に合わせた液体の噴射を可能とすることにある。
【０００６】
第３の課題は、それぞれのノズルから噴射する噴射液の切り替えを可能とすることにある。
【０００７】
第４の課題は、ノズルからの噴射液が当たる部位を頭部上で可変とすることにある。
【０００８】
第５の課題は、噴射液が当たる部位を簡単な構成で可変とすることにある。
【０００９】
第６の課題は、くし歯の先が頭皮に強く押し当たっても頭皮に傷を付けたりするおそれをなくすとともに、強く押し当たるくし歯はたわんでくし歯の多くが頭皮に当たるようにすることにある。
【００１０】
第７の課題は、同じく、くじ歯の先が頭皮に強く押し当たっても頭皮に傷を付けたりするおそれをなくすとともに、強く押し当たるくし歯はノズルアーム内に入り込んでくし歯の多くが頭皮に当たるようにすることにある。
【００１１】
第８の課題は、間欠流とともにくし歯の振動によっても、頭皮のマッサージを行うことができるようにすることにある。
【００１２】
第９の課題は、ノズルアームの構成を単純化するとともに、同様に第１の課題を達成することにある。
【００１３】
【課題を解決するための手段】
このため、請求項１に係る発明は、上記の第１の課題を解決すべく、人の頭部に沿って湾曲してノズルアームをのばし、そののばす方向と直交する方向に移動して該ノズルアームを頭部形状に沿って動かし、そのノズルアームに設けるノズルから液体を噴射して自動的に頭部を洗浄する自動頭部洗浄装置において、ノズルアームにくし歯を形成してそのくし歯に頭皮洗浄用ノズルを設け、該くし歯以外の部分に頭髪洗浄用ノズルを設け、ノズルアームを長さ方向にも往復動自在としてなる、ことを特徴とする。
【００１４】
請求項２に係る発明は、上記の第２の課題を解決すべく、請求項１に記載の自動頭部洗浄装置において、ノズルアーム内に、頭皮洗浄用ノズルに通ずる頭皮洗浄用給液路と頭髪洗浄用ノズルに通ずる頭髪洗浄用給液路とを区分して設けてなる、ことを特徴とする。
【００１５】
請求項３に係る発明は、上記の第３の課題を解決すべく、請求項１、または２に記載の自動頭部洗浄装置において、頭皮洗浄用ノズルおよび頭髪洗浄用ノズルの各々からの噴射液を、連続流や間欠流などに切り替える噴射液切替部を備えてなる、ことを特徴とする。
【００１７】
請求項４に係る発明は、上記の第５の課題を解決すべく、請求項１、２、または３に記載の自動頭部洗浄装置において、ノズルアームにラックを設け、ノズルアームを往復動自在に支持する部材に、ラックと噛み合うピニオンを設け、そのピニオンの回転によりノズルアームを長さ方向に往復動してなる、ことを特徴とする。
【００１８】
請求項５に係る発明は、上記の第６の課題を解決すべく、請求項１、２、３、または４に記載の自動頭部洗浄装置において、くし歯を可撓性材料でつくってなる、ことを特徴とする。
【００１９】
請求項６に係る発明は、上記の第７の課題を解決すべく、請求項１、２、３、４、または５に記載の自動頭部洗浄装置において、くし歯を、突出方向に付勢して出入自在に形成してなる、ことを特徴とする。
【００２０】
請求項７に係る発明は、上記の第８の課題を解決すべく、請求項１、２、３、４、または５に記載の自動頭部洗浄装置において、頭皮洗浄用ノズルから間欠流を噴射するとき、くし歯を振動させてなる、ことを特徴とする。
【００２２】
【発明の実施の形態】
以下、図面を参照しつつ、この発明の実施の形態につき詳細に説明する。
図1には、この発明による自動頭部洗浄装置の要部概略構成を示す。
【００２３】
自動頭部洗浄装置内には、図示するとおり、アーム回動駆動部１０を備える。アーム回動駆動部１０は、支軸１２を支持してその支軸１２を中心として回動自在にアーム支持部１４を設ける。アーム支持部１４は、アーム往復動駆動部１６と噴射液切替部１８を収納するとともに、ノズルアーム２０をその長さ方向に往復動自在に支持してなる。
【００２４】
さて、まずアーム回動駆動部１０内には、第１のモータ２２を備える。第１のモータ２２の回転軸２４には、駆動歯車２６を固着する。駆動歯車２６は、支軸１２に固着する従動歯車２８と噛み合う。支軸１２は、アーム回動駆動部１０内の一対の支持ブラケット３０・３２で回転自在に支持する。
【００２５】
次に、アーム支持部１２のアーム往復動駆動部１６内には、第２のモータ３４を備える。第２のモータ３４の回転軸３６には、クラウン歯車３８を固着する。クラウン歯車３８は、不図示の歯車と噛み合う。不図示の歯車は、同軸にピニオン４０を設ける。ピニオン４０は、ノズルアーム２０の基端部外周に形成したラック４２と噛み合う。
【００２６】
図２（A）にはノズルアーム２０の長さ方向に沿う部分縦断面を、（B）にはそのB−B線に沿う縦断面を、（C）にはC−C線に沿う縦断面を、（D）にはD−Dに沿う縦断面を示す。
【００２７】
この図２から判るとおり、ノズルアーム２０は、円弧状にのびる断面半円型の２つの樹脂成形品４４・４６を接合し、ラック４２を有する基端部を除いて円管状とし、図１のように人の頭部に沿うかたちで湾曲して形成してなる。そして、図２に示すように、内部中央に仕切り４８を設けて、内部に頭皮洗浄用給液路５０と頭髪洗浄用給液路５２を区分して形成する。
【００２８】
ところで、一方の樹脂成形品４４には、一定間隔置きにくし歯５４を外向きに突出して形成し、またそれらの各くし歯５４間に筒部５６を内向きに突出して形成してなる。そして、他方の樹脂成形品４６に接合したとき、筒部５６の先が、仕切り４８に一定間隔置きにあけた連通孔５８の孔縁にはまり合うようにする。
【００２９】
また、くし歯５４の先には頭皮洗浄用ノズル６０を設け、筒部５６を設けた位置には頭髪洗浄用ノズル６２を設ける。たとえば頭髪洗浄用ノズル６２は、１つの孔に限らず、シャワーのように小さな孔を複数設けて形成してもよい。そして、頭皮洗浄用給液路５０はくし歯５４を介して頭皮洗浄用ノズル６０に通じ、頭髪洗浄用給液路５２は連通孔５８および筒部５６を介して頭髪洗浄用ノズル６２に通ずるようにしてなる。
【００３０】
最後に、噴射液切替部１８は、図１に示す切替制御部６４からの制御信号に基づき、頭皮洗浄用ノズル６０および頭髪洗浄用ノズル６２各々からの噴射液を切り替える。図３には、その噴射液切替部１８の概略構成を示す。
【００３１】
図３中、符号Ａ、Ｂ、C、Ｄ、Ｅは、それぞれ液路開閉器を示し、６６は間欠流発生装置を示す。図示省略したが、間欠流発生装置６６は、たとえばポンプとタンクとで構成してなる。液路開閉器Aに通ずる管路６８は、水道に接続する。また、液路開閉路Cに通ずる管路７０は頭皮洗浄用給液路５０に接続し、液路開閉路Eに通ずる管路７２は頭髪洗浄用給液路５２に接続してなる。
【００３２】
図４には、噴射液切替部１８の噴射液切替モード例を示す。表中○は液路開閉路の口を開いたとき、×は閉じたときを示す。たとえばモード１のように、ノズルアーム２０の頭皮洗浄用ノズル６０および頭髪洗浄用ノズル６２の双方からともに連続流を噴射するときは、液路開閉器のA２、B１、B２、B３、C２、E２の口をそれぞれ開く。
【００３３】
また、モード２のように、頭皮洗浄用ノズル６０からは間欠流を、頭髪洗浄用ノズル６２からは液体を噴射しないときは、液路開閉器のA１、C３、D１、D２の口をそれぞれ開く。
【００３４】
モード３のように、頭皮洗浄用ノズル６０からは連続流を、頭髪洗浄用ノズル６２からは液体を噴射しないときは、液路開閉器のA１、A２、B１、B２、C２の口をそれぞれ開く。
【００３５】
モード４のように、頭皮洗浄用ノズル６０からは間欠流を、頭髪洗浄用ノズル６２からは連続流を噴射するときは、液路開閉器のA１、A２、B１、B３、C３、D１、D２、E２の口をそれぞれ開く。
【００３６】
さて、いまこの図示自動頭部洗浄装置を用いて頭部の洗浄を行うときは、従来と同様に装置開口を通して装置内に頭部を入れ、頭部にノズルアーム２０のくし歯５４を押し当ててノズルアーム２０を軽くたわませる。
【００３７】
次いで、不図示のスイッチを操作し、切替制御部６４からの制御信号に基づき噴射液切替部１８のモードを選択し、頭皮洗浄用ノズル６０および頭髪洗浄用ノズル６２各々から液体を噴射する。または、一方のノズルからは、液体を噴射しないようにしてもよい。
【００３８】
同時に、第２のモータ３４を正逆駆動し、ピニオン４０とラック４２の噛み合いを介して図１中矢示するようにノズルアーム２０を長さ方向に往復動しながら、第１のモータ２２を正逆駆動し、アーム支持部１４を回してノズルアーム２０を、のばす方向と直交する方向に移動し、図５に示すように往復回動して頭部形状に沿って動かす。
【００３９】
そして、くし歯５４でマッサージしながら、頭皮洗浄用ノズル６０から噴射する液体で頭皮を洗浄するとともに、頭髪洗浄用ノズル６２から噴射する液体で頭髪を洗浄する。
【００４０】
洗浄後は、不図示のスイッチをオフし、切替制御部６４で噴射液切替部１８を制御して頭皮洗浄用ノズル６０および頭髪洗浄用ノズル６２各々からの液体の噴射を止めるとともに、第１のモータ２２および第２のモータ３４の駆動を停止してノズルアーム２０の往復回動および往復動を停止する。
【００４１】
この発明によれば、ノズルアーム２０にくし歯５４を形成してそのくし歯５４に頭皮洗浄用ノズル６０を設けるから、くし歯５４でかき分けたところに頭皮洗浄用ノズル６０から液体を噴射することができ、ノズルからの噴射液を頭皮へと完全に当てて頭髪のみならず、頭皮までもしっかりと洗浄することができる。
【００４２】
また、くし歯に頭皮洗浄用ノズルを、くし歯以外の部分に頭髪洗浄用ノズルを設けるから、頭皮と頭髪とを同時に洗うことができる利点もある。
【００４３】
なお、上述した例では、くし歯５４の先に頭皮洗浄用ノズル６０を設けたが、このようにすると、ノズル６０を頭皮で塞いでしまうことがある。そこで、ノズル６０は、くし歯５４の先端ではなく、先端近傍に設けることがより好ましい。また、１個所ではなく、たとえば前後または左右の対応する位置に設け、広域に液体を噴射して洗浄効果を高めるようにしてもよい。
【００４４】
ところで、上述した例では、樹脂成形品４４を成形するとき、くし歯５４も一体に形成した。しかし、くし歯５４をゴム等の可撓性材料でつくり、それを、たとえば図６（A）で示すようにコイルスプリング７４で付勢して取付部材７６により押さえ、樹脂成形品４４の外側から吐出口７８に被せ、外向きに突出して図中矢示するように出入自在に取り付けるようにしてもよい。
【００４５】
図６（B）に示すようにコイルスプリング７４で付勢して反対に樹脂成形品４４の内側から孔８０に通し、外向きに突出して図中矢示するように出入自在に取り付けるようにしてもよい。
【００４６】
このようにすると、くし歯５４の先が頭皮に強く押し当たっても、頭皮を傷付けたりするおそれがなく、また強く押し当たるくし歯５４はたわんだり付勢力に抗してノズルアーム２０内に入り込んだりしてくし歯５４の多くを頭皮に当てることが可能となる。
【００４７】
また、くし歯５４は、図７に示すように、樹脂成形品４４の孔８２にコイルスプリング８４を介して内側から通し、内向きに付勢して支持部材８６に押し当て、先端を外向きに突出して出入自在に取り付けるようにしてもよい。
【００４８】
このようにすると、頭皮洗浄用ノズル６０から間欠流を噴射するとき、噴射圧が加わったときは、スプリング８４に抗してくし歯５４を突出する方向に移動し、噴射圧がなくなったときは、スプリング８４の付勢力で復帰することでくし歯５４を振動し、間欠流とともにくし歯５４の振動によっても頭皮をマッサージすることができる。
【００４９】
さて、上述した例では、１つのノズルアーム２０に頭皮洗浄用ノズル６０と頭髪洗浄用ノズル６２の双方を設けた。しかし、たとえば図８に示すように、ノズルアーム２０を、くし歯５４を形成してそれに頭皮洗浄用ノズル６０を設ける頭皮洗浄用ノズルアーム２０Aと、頭髪洗浄用ノズル６２を設ける頭髪洗浄用ノズルアーム２０Bとで形成してもよい。
【００５０】
この場合、図示省略したが、各ノズルアーム２０A・２０Ｂは、それぞれ専用のアーム支持部で長さ方向に往復動可能に支持する。アーム支持部１４は、アーム往復動駆動部のみを収納し、各々別個のアーム回動駆動部で回動自在とする。噴射液切替部は、それぞれのアーム支持部１４とは別個に設け、各々直接ノズルアーム２０A・２０Ｂに接続してなる。
【００５１】
そして、別個のアーム回動駆動部で専用のアーム支持部を回動して各ノズルアーム２０A・２０Ｂを個別に回動するとともに、各アーム支持部で各ノズルアーム２０A・２０Ｂを別個独立に往復動しながら、１の切替制御部で１の噴射液切替部を制御して頭皮洗浄用ノズル６０および頭髪洗浄用ノズル６２から個別に液体を噴射する。
【００５２】
このようにすると、頭髪洗浄用ノズルアームとは別個に頭皮洗浄用ノズルアームを設けるから、構成簡単なノズルアームを用いて上述したこの発明による効果を達成することができる。
【００５３】
【発明の効果】
以上説明したとおり、この発明によれば、ノズルアームにくし歯を形成してそのくし歯に頭皮洗浄用ノズルを設けるから、くし歯でかき分けたところに頭皮洗浄用ノズルから液体を噴射することができ、ノズルからの噴射液を頭皮へと完全に当てて頭髪のみならず、頭皮までもしっかりと洗浄することができる。
【００５４】
また、くし歯に頭皮洗浄用ノズルを、くし歯以外の部分に頭髪洗浄用ノズルを設けるから、頭皮と頭髪とを同時に洗うことができる利点もある。
【００５５】
請求項２に係る発明によれば、ノズルアーム内に頭皮洗浄用給液路と頭髪洗浄用給液路とを区分して設けるから、たとえば頭皮洗浄用ノズルからは間欠流を、頭髪洗浄用ノズルからは連続流を噴射することが可能となり、洗浄目的に合わせて液体を噴射することができる。
【００５６】
請求項３に係る発明によれば、噴射液切替部を備えるから、一方のノズルからの液体噴射を停止したり、一方のノズルからは間欠流を、他方のノズルからは連続流を噴射したり容易に切り替えを行うことができる。
【００５７】
そして、特にこの発明によれば、ノズルアームを長さ方向に往復動可能とするから、ノズルからの噴射液を異なる部位に当てることができ、頭部全体を効率よく洗浄することができる。
【００５８】
請求項４に係る発明によれば、ラックとピニオンの噛み合いを介してノズルアームを往復動するから、簡単な構成で移動することができる。
【００５９】
請求項５に係る発明によれば、くし歯を可撓性部材でつくるから、くし歯の先が頭皮に強く押し当たっても、頭皮を傷付けたりするおそれがなく、また強く押し当たるくし歯はたわんでくし歯の多くを頭皮に当てることが可能となる。
【００６０】
請求項６に係る発明によれば、くし歯を、突出方向に付勢して出入自在に形成するから、同様にくし歯の先が頭皮に強く押し当たっても、頭皮を傷付けたりするおそれがなく、また強く押し当たるくし歯は付勢力に抗してノズルアーム内に入り込んでくし歯の多くを頭皮に当てることが可能となる。
【００６１】
請求項７に係る発明によれば、頭皮洗浄用ノズルから間欠流を噴射するとき、くし歯を振動させるから、間欠流とともにくし歯の振動によっても頭皮のマッサージを行うことができる。
【図面の簡単な説明】
【図１】この発明による自動頭部洗浄装置の要部概略構成図である。
【図２】その自動頭部洗浄装置で用いるノズルアームで、（A）はその長さ方向に沿う部分縦断面図、（B）はそのB−B線に沿う縦断面図、（C）はC−C線に沿う縦断面図、（D）はD−Dに沿う縦断面図である。
【図３】その自動頭部洗浄装置で用いる噴射液切替部の概略構成図である。
【図４】その噴射液切替部の噴射液切替モード例を示す表である。
【図５】上記ノズルアームの回動状態を示す作動説明図である。
【図６】そのノズルアームのくし歯を突出方向に付勢して設けた場合で、（Ａ）は一例、（Ｂ）は他例を示す断面図である。
【図７】そのくし歯を間欠流で振動するように設けた場合を示す断面図である。
【図８】ノズルアームを頭皮洗浄用ノズルアームと頭髪洗浄用ノズルアームとで形成した場合を示す説明図である。
【符号の説明】
１０    アーム回動駆動部
１４    アーム支持部
１６    アーム往復動駆動部
１８    噴射液切替部
２０    ノズルアーム
２０Ａ  頭皮洗浄用ノズルアーム
２０Ｂ  頭髪洗浄用ノズルアーム
４０    ピニオン
４２    ラック
５０    頭皮洗浄用給液路
５２    頭髪洗浄用給液路
５４    くし歯
６０    頭皮洗浄用ノズル
６２    頭髪洗浄用ノズル
【図１】
0004289748.tif 000002
【図２】
0004289748.tif 000003
【図３】
0004289748.tif 000004
【図４】
0004289748.tif 000005
【図５】
0004289748.tif 000006
【図６】
0004289748.tif 000007
【図７】
0004289748.tif 000008
【図８】
0004289748.tif 000009